【事件の表示】
　平成　５年特許願第１７１７８５号「医療システムの制御装置および医療システムの制御装置の制御方法」拒絶査定不服審判事件〔平成　７年　１月２７日出願公開、特開平　７−　２３９７８号〕について、次のとおり審決する。
【結　論】
　本件審判の請求は、成り立たない。
【理　由】
Ｉ．手続の経緯・本願発明
　本願は、平成５年７月１２日の出願であって、その請求項１に係る発明は、平成１４年１１月２５日付け、及び平成１５年１１月１７日付け手続補正書により補正された明細書および図面の記載からみて、その特許請求の範囲の請求項１に記載された次のとおりのものである（以下「本願発明」という）。
　
　「医療用機器の動作を操作する複数のスイッチを有する医療システムの制御装置の制御方法において、
　前記複数のスイッチのうち任意のスイッチがオン操作されたことを検出して、検出されたスイッチの操作に対応した動作モードを告知する第１の告知工程と、
　前記第１の告知工程終了後、前記第１の告知工程で告知した動作モードに対応する前記スイッチがオフ操作の後再度オン操作されたことを検出して、該スイッチの操作に対応した動作モードをあらためて告知する第２の告知工程と、
　前記第２の告知工程と同期して前記第２の告知工程で検出したスイッチと対応する動作モードで前記医療用機器を制御する制御工程と、
　を具備したことを特徴とする医療システムの制御装置の制御方法。」
　
II．引用例の記載事項
　これに対して、原査定の拒絶の理由で引用した、特開昭５６−１６１０４３号公報（以下「引用例」という）には、次の事項が図面とともに記載されている。
（１）「高周波電流の種類を確認できずに手術をすることは非常に危険であるのでこのような場合には高周波電流の種類に夫々応じた音を発生し聴覚により高周波電流の種類の確認ができるようになつている。しかし音は高周波電流の発生と同時に発生するので音により発生した高周波電流が間違つていることに気付いても誤つた高周波電流により手術がおこなわれるという危険性がある。従つて、この発明の目的は発音表示による確認の後、高周波電流を発生することにより誤つて手術することのない高周波電気メス装置を提供することにある。」（１頁右下欄１１行〜２ページ左上欄３行）
　
（２）「上記高周波電気メス装置において、選択スイツチ３が接点ａに接続されフツトスイツチ２が閉成されると接点ａに５Ｖの電圧が現われこの電圧によりダイオード１３及び抵抗１４を介して発振回路１７の端子ｃに電流が流れ込む。・・・（中略）・・・抵抗１４とキヤパシタ１８との値によつて決まる周波数で発振回路１７は発振し発振出力をスピーカ１９に供給する。スピーカ１９は発振周波数に応じた音を発生する。この音は切開電流を発生することを聴覚表示により知らせる。一方、フツトスイツチ２を閉成したときに作動する遅延回路４は遅延時間Ｔｄ後に出力信号を発生し切開電流発振回路５を発振させる。この切開電流発振回路５からの切開電流発振出力は・・・（中略）・・・高周波トランス１０により昇圧され能動出力端子１１及び患者出力端子１２を介して人体組織を切開するに充分なエネルギの切開高周波電流が出力される。凝固高周波電流を得たい場合には、選択スイツチ３が接点ｂに接続された後、フツトスイツチ２が閉成される。この場合、発振回路１７は抵抗１６とキヤパシタ１８との値で決まる周波数で発振して発振出力をスピーカ１９に供給しこのスピーカ１９を発音させる。このときのスピーカ１９の音を聞くことにより凝固高周波電流が出力されることが確認できる。遅延回路６は遅延時間Ｔｄ後に出力信号を発生し凝固電流発振回路７を発振させる。これにより凝固高周波電流が能動出力端子１１及び患者出力端子１２を介して出力される。」（２頁右上欄４行〜左下欄１８行）
　
　上記記載（２）には、高周波電気メス装置の制御方法について、選択スイツチ３が接点ａ又はｂに接続されフツトスイツチ２が閉成されると、選択スイツチ３で選択された切開電流または凝固電流に対応する音をスピーカ１９より発生し、これらの電流が発生することを聴覚表示により知らせること、及び、フツトスイツチ２の閉成後遅延時間Ｔｄが経過すると、選択された切開電流または凝固電流を発生させることが記載されている。
　
（３）「第４図の実施例の場合、スピーカ１９選択した高周波電流を表わす音を発生した後、遅延時間をおいて対応する高周波電流を出力する動作は第１図の実施例と同じである。しかし、この実施例では高周波電流を発生したことを音の状態を変えて報知する機能を有している。即ち、選択スイツチ３が、例えば、接点ａに接続された後にフツトスイツチ２が閉成されるとスピーカ１９は抵抗１４とキヤパシタ１８とで決まる周波数の音を発生する。このとき遅延回路４の出力端ｆからは出力が得られず遅延時間Ｔｄ後に出力が発生する。この遅延回路４の出力により切開電流発振回路５は発振する。このとき、同遅延出力によつてトランジスタ２５がＯＮにされスピーカ１９の音量が増大する。この音量の変化により切開高周波電流が出力されたことを知ることができる。即ち、この実施例によると第５図のタイムチヤートに示すようにフツトスイツチ２が閉成され接点ａに電圧が現われた後時間Ｔｄまでは小さい音量で出力される高周波電流の種類を知らせ時間Ｔｄ後にスピーカの音量が増大することにより高周波電流が発生したことが知らされる。」（３頁左上欄１２行〜右上欄１４行）
　
　上記記載（３）には、上記記載（２）の事項に加え、フツトスイツチ２の閉成後遅延時間Ｔｄが経過し、選択された切開電流または凝固電流が発生する時、同時に電流の種類を表す音の音量を増大させ、この音量の変化により選択された電流が出力されたことを知らせることが記載されている。
　
（４）「以上説明したように、この発明によると切開高周波電流、凝固高周波電流及び混合高周波電流等を夫々表わす音を高周波電流発生前に発生させ発生する高周波電流の種類を確認した後に高周波電流を発生するように構成されているので間違つた電流で手術をおこなうという危険性は防止できる。また、この発明によると、高周波電流発生前と後とで音の調子を変化させるようにできるので高周波電流がいつ発生したかを知ることができ手術においてきわめて便利である。」（３頁左下欄５行〜１５行）
（５）第４図には、高周波電気メス装置の回路図が示されている。
　
　上記記載及び図示内容を総合すると、引用例には、次の発明が記載されているといえる（以下、「引用発明」という）。
　「高周波電気メス装置の動作を操作する選択スイツチ３とフツトスイツチ２とを有する、高周波電気メス装置の制御回路の制御方法において、
　選択スイツチ３が接点ａ又はｂへ接続され、フツトスイツチ２が閉成されると、選択スイツチ３の選択された接点への接続と、フツトスイツチ２の閉成とに対応して出力される高周波電流の種類を知らせる音を発生する第１の工程と、
　フツトスイツチ２の閉成後遅延時間Ｔｄが経過すると、上記高周波電流の種類を表す音の音量を変化させる第２の工程と、
　第２の工程の音量の変化と同時に、選択された種類の高周波電流を発生させ高周波電気メス装置を動作させる工程と、
　を具備した高周波電気メス装置の制御回路の制御方法。」
　
III．対比
　そこで、本願発明と引用発明とを対比すると、その機能または作用からみて、引用発明の「高周波電気メス装置」は医療用機器の一種であるので、本願発明の「医療用機器」に包含され、同様に、「動作を操作する選択スイツチ３とフツトスイツチ２とを有する、高周波電気メス装置の制御回路」は、「動作を操作する複数のスイッチを有する医療システムの制御装置」に包含される。
　そして、引用発明の「選択スイツチ３の選択された接点への接続と、フツトスイツチ２の閉成」とが、本願発明の「スイッチがオン操作」されたことに対応するとともに、これに「対応して出力される高周波電流の種類を知らせる音を発生する」ことは、高周波電気メス装置の動作の種類を音で知らせることといえるから、本願発明の「対応した動作モードを告知する」ことに相当し、引用発明の「第１の工程」は、本願発明の「第１の告知工程」に相当する。
　次に、引用発明の、「フツトスイツチ２の閉成後遅延時間Ｔｄが経過すると、上記高周波電流の種類を表す音の音量を変化させる第２の工程」は、遅延時間Ｔｄの間フツトスイツチ２が閉成されていることを検知すると第１の工程の音の発生を終了し、あらためて変化した音量で高周波電気メス装置の動作の種類を知らせる音を発生させる工程であるということができるので、本願発明の、「前記第１の告知工程終了後」、「該スイッチの操作に対応した動作モードをあらためて告知する第２の告知工程」に相当する。
　次に、引用発明の、「第２の工程の音量の変化と同時に選択された種類の高周波電流を発生させ高周波電気メス装置を動作させる工程」は、第２の工程の音量の変化に同期して、高周波電気メス装置を、選択した動作モードで制御する工程であるといえるから、本願発明の、「前記第２の告知工程と同期して前記第２の告知工程で検出したスイッチと対応する動作モードで前記医療用機器を制御する制御工程」に相当する。
　そして、引用発明の、「高周波電気メス装置の制御回路の制御方法」は、本願発明の、「医療システムの制御装置の制御方法」に包含される。
　
　そこで、両者は、本願発明の用語を用いて表現すると、次の点で一致する。
（一致点）
　「医療用機器の動作を操作する複数のスイッチを有する医療システムの制御装置の制御方法において、
　前記スイッチがオン操作されたことを検出して、検出されたスイッチの操作に対応した動作モードを告知する第１の告知工程と、
　前記第１の告知工程終了後、該スイッチの操作に対応した動作モードをあらためて告知する第２の告知工程と、
　前記第２の告知工程と同期して前記第２の告知工程で検出したスイッチと対応する動作モードで前記医療用機器を制御する制御工程と、
　を具備した医療システムの制御装置の制御方法。」
　
　そして、両者は、次の相違点で相違する（対応する引用例記載の用語を（　）内に示す）。
相違点ａ．
　第１の告知工程について、本願発明は、「複数のスイッチのうち任意のスイッチがオン操作されたことを検出して」、検出されたスイッチの操作に対応した動作モードを告知するのに対し、引用発明は、「選択スイツチ３が接点ａ又はｂに接続され、フツトスイツチ２が閉成されると」、検出されたスイッチの操作（選択スイツチ３の選択された接点への接続と、フツトスイツチ２の閉成）に対応した動作モードを告知（対応して生じる高周波電流の種類を知らせる音を発生）する点。
相違点ｂ．
　第２の告知工程と制御工程について、本願発明は、「第１の告知工程で告知した動作モードに対応する前記スイッチがオフ操作の後再度オン操作されたことを検出して、該スイッチの操作に対応した動作モードをあらためて告知」し、これに「同期して第２の告知工程で検出したスイッチと対応する動作モードで前記医療用機器を制御する」のに対し、引用発明は、第１の告知工程で告知した動作モードに対応する前記スイッチが、遅延時間Ｔｄだけ継続してオン操作された（フツトスイツチ２の閉成後遅延時間Ｔｄが経過した）ことを検出して、該スイッチの操作に対応した動作モードをあらためて告知し（高周波電流の種類を表す音の音量を変化させ）、これに同期して第２の告知工程で検出したスイッチと対応する動作モードで前記医療用機器を制御する（第２の工程の音量の変化と同時に選択された種類の高周波電流を発生させ高周波電気メス装置を動作させる）点。
　
IV．判断
　上記相違点について検討する。
相違点ａ．について
　引用発明は、所望の動作モード（高周波電流の種類）を得るため、制御装置（制御回路）の選択スイツチ３を所望の接点に接続して選択し、フツトスイツチ２をオン操作（閉成）することによって操作しているが、技術分野を問わず一般に、制御装置に、複数の動作モードに対応して複数のスイッチを設け、これらの任意の一つをオン操作することにより所望の動作モードが得られるようにする方法は周知慣用手段にすぎないので、引用発明において、所望の動作モードを得るにあたり、相違点ａに係る本願発明の構成のようにすることは、当業者が必要に応じ適宜なし得た程度の事項である。
相違点ｂ．について
　一般に、機器に重要な動作を引き起こすスイッチの誤操作を防止する方法として、スイッチの一回目のオン操作では動作を起こすことなく操作の確認を促し、確認をしてオフ操作後再度同じスイッチをオン操作してはじめて動作を起こすようにする方法が、例えば、実願昭５８−１５４３４号（実開昭５９−１２２６２７号）のマイクロフィルムに示すように周知である。
　そこで、引用発明において、動作モード（発生する高周波電流の種類）に関してのスイッチの誤操作を防止する方法として、動作モードの告知により操作を確認した後、さらに遅延時間Ｔｄだけ継続してスイッチをオン操作することにより、動作モードの再度の告知とその動作モードでの医療用機器の制御とを行わせることに代え、周知技術を適用して、動作モードの告知により操作を確認した後、スイッチをオフ操作し、再度同じスイッチをオン操作することにより、動作モードの再度の告知とその動作モードでの医療用機器の制御とを行わせるようにして、相違点ｂに係る本願発明の構成のようにすることは、当業者が容易に想到し得たことである。
　
Ｖ．むすび
　したがって、本願発明は、引用発明及び周知技術に基づいて、当業者が容易に発明をすることができたものであるので、特許法第２９条第２項の規定により、特許を受けることができない。
　よって、結論のとおり審決する。